(57)【要約】【課題】加湿暖房時の加湿量の過不足を解消する共に、室内の湿度の変動を抑えた加湿空調システムを提供する。【解決手段】加湿空調システム１Ａは、霧状のミストＭを浴室１０１に噴出するミスト発生装置２と、浴室１０１の暖房等を行う浴室空調装置３Ａと、ミスト発生装置２に供給される湯ＨＷを生成する給湯装置４とを備え、ミスト発生装置２でミストＭを噴出しながら浴室空調装置３Ａで循環風により温風ＨＡを吹き出して、浴室１０１の加湿暖房を行う加湿暖房運転モードでは、浴室空調装置３Ａで温風ＨＡを吹き出すヒータの駆動の有無に連動させて、ミスト発生装置２によるミストＭの噴出量の制御を行い、浴室１０１内の湿度が一定値に近づくようにする。【選択図】        図１
2008164243.tif 000002
【特許請求の範囲】
【請求項１】
温風を生成する加熱手段を有した空調装置と、
前記空調装置で温風が吹き出される室内に、微細化された霧状の水滴または加湿空気を吹き出す加湿手段を有した加湿装置と、
前記室内の湿度を検知する湿度検知手段と、
前記湿度検知手段で検知された前記室内の湿度に応じて、前記加湿装置による加湿量を制御する制御手段と
を備えたことを特徴とする加湿空調システム。
【請求項２】
前記制御手段は、前記湿度検知手段で検知された前記室内の湿度が所定の上限湿度になると、前記加湿装置による加湿量を減少させ、前記湿度検知手段で検知された前記室内の湿度が所定の下限湿度になると、前記加湿装置による加湿量を増加させる
ことを特徴とする請求項１記載の加湿空調システム。
【請求項３】
前記湿度検知手段は、前記空調装置、前記加湿装置、前記室内に設置される前記空調装置及び前記加湿装置の操作部の少なくとも何れかに取り付けられる
ことを特徴とする請求項１または２記載の加湿空調システム。
【請求項４】
温風を生成する加熱手段を有した空調装置と、
前記空調装置で温風が吹き出される室内に、微細化された霧状の水滴または加湿空気を吹き出す加湿手段を有した加湿装置と、
前記加熱手段の駆動の有無に応じて、前記加湿装置による加湿量を制御する制御手段と
を備えたことを特徴とする加湿空調システム。
【請求項５】
前記制御手段は、前記加熱手段が駆動されると、前記加湿装置による加湿量を増加させ、前記加熱手段の駆動が停止されると、前記加湿装置による加湿量を減少させる
ことを特徴とする請求項４記載の加湿空調システム。
【請求項６】
室内の温度を検知する温度検知手段を備え、
前記制御手段は、前記温度検知手段で検知された前記室内の温度が所定の上限温度になると、前記加熱手段の駆動を停止すると共に前記加湿装置による加湿量を減少させ、前記温度検知手段で検知された前記室内の温度が所定の下限温度になると、前記加熱手段を駆動すると共に前記加湿装置による加湿量を増加させる
ことを特徴とする請求項４記載の加湿空調システム。
【請求項７】
前記加湿手段は、
湯水の供給を受けてミストを吹き出すミストノズルを備え、
前記制御手段は、ミストを吹き出す前記ミストノズルの数、または、前記ミストノズルに供給される湯水の加圧力の調整で加湿量を制御する
ことを特徴とする請求項１〜６に何れか記載の加湿空調システム。
【請求項８】
前記加湿装置は、超音波振動子により水を振動させて発生させた微細化した水滴で空気を加湿して、加湿空気を生成する前記加湿手段、または、水加熱手段により水を加熱して発生させた水蒸気で空気を加湿して、加湿空気を生成する前記加湿手段を備え、
前記制御手段は、前記超音波振動子の出力の調整または前記水加熱手段の出力の調整で加湿量を制御する
ことを特徴とする請求項１〜６に何れか記載の加湿空調システム。
【発明の詳細な説明】
【技術分野】
【０００１】
本発明は、浴室やシャワー室等の室内の加湿暖房を行う加湿空調システムに関する。
【背景技術】
【０００２】
従来より、湯水をミストとして浴室内に吹き出し、浴室の加湿暖房を行うミスト装置が提案されている（例えば、特許文献１参照）。
【０００３】
このようなミスト装置は、単数もしくは複数のミストノズルを浴室の壁面等に設置して、給湯器から供給された温水をミストにして浴室内に吹き出す構成である。
【０００４】
しかし、ミストのみで浴室を暖める場合、温度が十分に上がらないという問題があった。
【０００５】
そこで、暖房機による温風の吹き出しと併用してミストを吹き出すことで、短時間で浴室の温度を上げられるようにしたミスト装置が提案されている（例えば、特許文献２参照）。
【０００６】
また、加湿装置としては、超音波振動子により水を振動させ、微細化した水滴を発生させて空気を加湿する超音波加湿器や、ヒータで水を加熱して水蒸気を発生させて空気を加湿するヒータ式の加湿器も提案されている。
【０００７】
【特許文献１】特公平６−５９３０１号公報
【特許文献２】特開２００２−６１８６０号公報
【発明の開示】
【発明が解決しようとする課題】
【０００８】
ミスト装置や加湿装置を備えて浴室を加湿暖房する構成では、室内の温度及び湿度を発汗効果が得られるような状態にする必要がある。従来、浴室に備えられた浴室空調装置で室内の温度についてはある程度制御を行っていたが、湿度については一定量のミストをノズルで噴霧する等しており、加湿量の制御は行われていなかった。
【０００９】
そのため、室内を必要な湿度に保つのに必要量以上の湯水を使用し無駄なエネルギーを消費していたり、逆に加湿量が不足し室内が必要な湿度に達しない場合があった。
【００１０】
また、浴室空調装置では、室内の温度制御のために暖房用ヒータのＯＮ，ＯＦＦ制御が行われているが、加湿暖房時の加湿量が一定であると、ヒータＯＮ時には温度上昇と共に相対湿度が低下し、ヒータＯＦＦ時には温度降下と共に相対湿度が上昇するという湿度の変動が発生し、入浴者が不快に感じる虞があった。
【００１１】
本発明は、このような課題を解決するためになされたもので、加湿暖房時の加湿量の過不足を解消する共に、室内の湿度の変動を抑えた加湿空調システムを提供することを目的とする。
【課題を解決するための手段】
【００１２】
上述した課題を解決するため、本発明の加湿空調システムは、温風を生成する加熱手段を有した空調装置と、空調装置で温風が吹き出される室内に、微細化された霧状の水滴または加湿空気を吹き出す加湿手段を有した加湿装置と、室内の湿度を検知する湿度検知手段と、湿度検知手段で検知された室内の湿度に応じて、加湿装置による加湿量を制御する制御手段とを備えたことを特徴とする。
【００１３】
本発明の加湿空調システムでは、加湿装置で霧状の水滴または加湿空気を吹き出すと共に、空調装置で温風を吹き出して、室内の加湿暖房が行われる。加湿暖房に伴って室内の湿度が上昇すると、加湿装置による加湿量を減少させると共に、加湿装置による加湿量の減少に伴って室内の湿度が低下すると、加湿装置による加湿量を増加させる。
【００１４】
これにより、加湿暖房に必要な加湿量を確保しつつ、室内の湿度の変動が所望の範囲内に抑えられる。
【００１５】
また、本発明の加湿空調システムは、温風を生成する加熱手段を有した空調装置と、空調装置で温風が吹き出される室内に、微細化された霧状の水滴または加湿空気を吹き出す加湿手段を有した加湿装置と、加熱手段の駆動の有無に応じて、加湿装置による加湿量を制御する制御手段とを備えたことを特徴とする。
【００１６】
本発明の加湿空調システムでは、加湿装置で霧状の水滴または加湿空気を吹き出すと共に、空調装置で温風を吹き出して、室内の加湿暖房が行われる。加湿暖房で加熱手段を駆動して室内に温風を吹き出している間は、加湿装置による加湿量を増加させ、室内の温度上昇に伴う相対湿度の低下を抑える。また、加熱手段の駆動を停止している間は、加湿装置による加湿量を減少させ、室内の温度低下に伴う相対湿度の上昇を抑える。
【００１７】
これにより、加湿暖房に必要な加湿量を確保しつつ、室内の湿度の変動が所望の範囲内に抑えられる。
【発明の効果】
【００１８】
本発明の加湿空調システムによれば、加湿暖房時の加湿量の過不足を解消することができるので、無駄の無い加湿量で十分な湿度が得られる。
【００１９】
これにより、加湿量が過剰になることによる無駄なエネルギー消費を抑えることができる。また、加湿量が不足することにより室内の湿度が加湿暖房に必要とされる湿度まで上がらないという状態になることを解消できる。
【００２０】
更に、室内の湿度の変動が抑えられるので、入浴者の不快感を解消することができ、快適性が向上する。
【発明を実施するための最良の形態】
【００２１】
以下、図面を参照して本発明の加湿空調システムの実施の形態について説明する。
【００２２】
＜第１の実施の形態の加湿空調システムの構成例＞
（１−１）加湿空調システムの全体構成例
図１は、第１の実施の形態の加湿空調システムの一例を示す全体構成図である。第１の実施の形態の加湿空調システム１Ａは、霧状のミストＭを浴室１０１に噴出するミスト発生装置２と、浴室１０１の暖房等を行う浴室空調装置３Ａと、ミスト発生装置２に供給される湯ＨＷを生成する給湯装置４とを備える。
【００２３】
加湿空調システム１Ａは、浴室１０１に隣接した洗面脱衣所１０２に設置された主操作部５Ａと、浴室１０１に設置された副操作部６Ａで、入浴者等の操作を受ける。また、加湿空調システム１Ａは、浴室空調装置３Ａに備えられた主制御部７Ａと、ミスト発生装置２に備えられた副制御部８Ａに制御され、主操作部５Ａまたは副操作部６Ａで選択された運転モードが実行される。
【００２４】
すなわち、加湿空調システム１Ａでは、主操作部５Ａまたは副操作部６Ａの操作で、ミスト発生装置２でミストＭを噴出しながら、浴室空調装置３Ａで循環風により温風ＨＡを吹き出して、ミスト発生装置２と浴室空調装置３Ａとの連動で浴室１０１の加湿暖房を行う加湿暖房運転モードが実行される。
【００２５】
そして、加湿空調システム１Ａは、加湿暖房運転モードでは、浴室空調装置３Ａで温風ＨＡを吹き出す後述するヒータの駆動の有無に連動させて、ミスト発生装置２によるミストＭの噴出量の制御を行い、浴室１０１内の湿度が一定値に近づくようにする。
【００２６】
尚、加湿空調システム１Ａでは、加湿暖房運転モード以外の運転モードとして、主操作部５Ａまたは副操作部６Ａの操作で、浴室空調装置３Ａで循環風により温風ＨＡを吹き出して、浴室空調装置３Ａ単体で浴室１０１の暖房を行う暖房運転モードが実行される。
【００２７】
更に、加湿空調システム１Ａでは、主操作部５Ａの操作で、浴室空調装置３Ａで浴室１０１内の空気を屋外に排出して、浴室１０１の換気を行う換気運転モードと、所定時間で図示しない建物の空気が入れ替えられる風量で換気を行う２４時間換気運転モードが実行される。
【００２８】
また、浴室空調装置３Ａで循環風により温風ＨＡを吹き出しながら、浴室１０１内の空気を屋外に排出して、浴室１０１に干された衣類等の乾燥を行う乾燥運転モードが実行される。更に、浴室空調装置３Ａで循環風により送風を吹き出す涼風運転モードが実行される。
【００２９】
（１−２）加湿空調システムを構成するミスト発生装置の構成例
図２は、第１の実施の形態の加湿空調システムを構成するミスト発生装置の第１の例を示す構成図である。
【００３０】
第１の例のミスト発生装置２Ａは加湿装置の一例で、ミストを噴出する複数のミストノズル２０と、ミストを噴出するミストノズル２０を切り換える噴出ノズル切換電磁弁２１ａと、給湯（給水）の有無を切り換える供給切換電磁弁２１ｂと、排水の有無を切り換える排水切換電磁弁２１ｃとを備える。
【００３１】
ミストノズル２０は加湿手段の一例で、湯水の供給を受けると、微細化された水滴によるミストが噴出される。ここで、ミストノズル２０から噴出させるミストとは、霧や靄、更にはシャワー等の状態を含む。
【００３２】
ミスト発生装置２Ａは、図１に示す浴室１０１の天井パネルに開口を形成して設置され、ミストノズル２０を露出させたフロントパネル２３が、浴室１０１に面して取り付けられる。
【００３３】
ミスト発生装置２Ａは、図１に示す給湯装置４と接続された供給配管２４ａがミストノズル２０の数に合わせて分岐され、各ミストノズル２０につながる供給配管２４ａのそれぞれに噴出ノズル切換電磁弁２１ａが備えられており、噴出ノズル切換電磁弁２１ａの開閉で、ミストＭを噴出するミストノズル２０の数が切り替えられる。
【００３４】
図３は、第１の例のミスト発生装置におけるミスト噴出量の切換動作説明図である。ミスト発生装置２Ａが、例えば４個のミストノズル２０を備えた構成とすると、ミスト発生装置２ＡによるミストＭの噴出量を増加させる場合は、全ての噴出ノズル切換電磁弁２１ａを開き、本例では図３（ａ）に示すように、４個のミストノズル２０の全てからミストＭを噴出させる。
【００３５】
これに対して、ミストＭの噴出量を減少させる場合は、例えば２個の噴出ノズル切換電磁弁２１ａを閉じ、図３（ｂ）に示すように、残りの２個のミストノズル２０からミストＭを噴出させる。
【００３６】
このように、噴出ノズル切換電磁弁２１ａの開閉で、ミストＭを噴出するミストノズル２０の数を切り替えることで、ミストＭの噴出量が制御される。
【００３７】
また、ミスト発生装置２Ａは、供給配管２４ａから排水配管２４ｂが分岐し、排水配管２４ｂとの分岐点より上流側の供給配管２４ａに供給切換電磁弁２１ｂが備えられ、排水配管２４ｂに排水切換電磁弁２１ｃが備えられている。
【００３８】
これにより、ミスト発生装置２Ａでは、給湯装置４から供給された湯ＨＷの温度が所定の温度に上がるまでは、給湯装置４から供給された湯ＨＷが各電磁弁の開閉で排水配管２４ｂへ送られ、排水ＥＷが浴室１０１の図示しない排水管へと流されて、ミストノズル２０からミストとして噴出されない。
【００３９】
そして、給湯装置４から供給された湯ＨＷの温度が所定値まで上がると、給湯装置４から供給された湯ＨＷが各電磁弁の開閉でミストノズル２０に供給され、所定の温度のミストＭとしてミストノズル２０から噴出される。
【００４０】
図４は、第１の実施の形態の加湿空調システムを構成するミスト発生装置の第２の例を示す構成図である。
【００４１】
第２の例のミスト発生装置２Ｂは加湿装置の一例で、ミストを噴出する単数または複数のミストノズル２０と、ミストノズル２０に供給される湯（水）を加圧する加圧ポンプ２５と、ミストノズル２０からのミストの噴出の有無を切り替える噴出切換電磁弁２１ｄと、給湯（給水）の有無を切り換える供給切換電磁弁２１ｂと、排水の有無を切り換える排水切換電磁弁２１ｃとを備える。
【００４２】
ミスト発生装置２Ｂは、図１に示す浴室１０１の天井パネルに開口を形成して設置され、ミストノズル２０を露出させたフロントパネル２３が、浴室１０１に面して取り付けられる。
【００４３】
ミスト発生装置２Ｂは、図１に示す給湯装置４と接続された供給配管２４ａに加圧ポンプ２５と噴出切換電磁弁２１ｄが備えられ、加圧ポンプ２５による給湯圧を切り替えることで、ミストノズル２０から噴出されるミストＭの噴出量が制御される。
【００４４】
図５は、第２の例のミスト発生装置におけるミスト噴出量の切換動作説明図である。加圧ポンプ２５による給湯圧を高くすると、図５（ａ）に示すように、ミストＭの噴出量が増加する。
【００４５】
これに対して、加圧ポンプ２５による給湯圧を低くすると、図５（ｂ）に示すように、ミストＭの噴出量が減少する。
【００４６】
このように、加圧ポンプ２５による給湯圧の増減で、ミストＭの噴出量が制御される。
【００４７】
また、ミスト発生装置２Ｂは、供給配管２４ａから排水配管２４ｂが分岐し、排水配管２４ｂとの分岐点より上流側の供給配管２４ａに供給切換電磁弁２１ｂが備えられ、排水配管２４ｂに排水切換電磁弁２１ｃが備えられている。
【００４８】
これにより、ミスト発生装置２Ｂでは、給湯装置４から供給された湯ＨＷの温度が所定の温度に上がるまでは、給湯装置４から供給された湯ＨＷが各電磁弁の開閉で排水配管２４ｂへ送られ、排水ＥＷが浴室１０１の図示しない排水管へと流されて、ミストノズル２０からミストとして噴出されない。
【００４９】
そして、給湯装置４から供給された湯ＨＷの温度が所定値まで上がると、給湯装置４から供給された湯ＨＷが各電磁弁の開閉でミストノズル２０に供給され、所定の温度のミストＭとしてミストノズル２０から噴出される。
【００５０】
（１−３）加湿空調システムを構成する浴室空調装置の構成例
図６は、第１の実施の形態の加湿空調システムを構成する浴室空調装置の一例を示す構成図である。
【００５１】
浴室空調装置３Ａは空調装置の一例で、浴室暖房換気乾燥装置等と称され、図１に示す浴室１０１から空気ＲＡを吸い込んで吹き出すファン部３０と、ファン部３０から吹き出される空気を浴室１０１に吹き出すか、排気するかを切り替える風路切換部３１と、浴室１０１へ吹き出す空気を加熱するヒータ３２とを備える。
【００５２】
ファン部３０は循環送風手段の一例で、回転駆動される多翼のファン３３と、ファン３３を回転駆動するファンモータ３３ａと、風路を形成するファンケース３４を備える。
【００５３】
浴室空調装置３Ａは、ファン３３の軸方向に沿ったファンケース３４の下面にファン吸込口３４ａを備え、ファンケース３４は、ファン３３が回転駆動されることでファン吸込口３４ａから吸い込んだ空気を、ファン３３の接線方向に吹き出す風路を形成する。
【００５４】
風路切換部３１は、風路を切り換えるダンパ３５を備える。ダンパ３５は、後述するダンパモータの駆動力がカム３５ａを介して伝達され、軸３５ｂを支点に回転して開閉動作を行う。
【００５５】
浴室空調装置３Ａは、風路切換部３１の下方に吹出口３６ａを備えると共に、風路切換部３１の側方に排気口３６ｂを備え、ダンパ３５を図６（ａ）に示す循環位置とすると、排気口３６ｂへの風路が遮断され、ファン吸込口３４ａから吹出口３６ａへ連通した循環風路３１ａが形成される。
【００５６】
また、ダンパ３５を図６（ｂ）に示す換気位置とすると、吹出口３６ａへの風路が遮断され、ファン吸込口３４ａから排気口３６ｂへ連通した換気風路３１ｂが形成される。
【００５７】
更に、ダンパ３５を図６（ｃ）に示す分流位置とすると、ファン吸込口３４ａから吹出口３６ａへ連通した循環風路３１ａと、ファン吸込口３４ａから排気口３６ｂへ連通した換気風路３１ｂの双方が形成される。
【００５８】
ヒータ３２は加熱手段の一例で、吹出口３６ａにＰＴＣヒータ等の電気ヒータを備えて構成される。なお、吹出口３６ａに、風向を切り換える電動の吹出ルーバを備える構成としても良い。
【００５９】
浴室空調装置３Ａは、下面にフロントパネル３７を備える。フロントパネル３７は、ファン吸込口３４ａとつながる吸込グリル３７ａを備えると共に、吹出口３６ａとつながる吹出グリル３７ｂを備える。また、フロントパネル３７は、吸込グリル３７ａの裏側に図示しないフィルタが交換可能に取り付けられる。
【００６０】
また、浴室空調装置３Ａは、ファン吸込口３４ａに温度検知センサ３８ａを備える。温度検知センサ３８ａは温度検知手段の一例で、フロントパネル３７の吸込グリル３７ａからファン吸込口３４ａに吸い込まれる空気の温度を検知することで、図１に示す浴室１０１の温度が検出される。
【００６１】
浴室空調装置３Ａは、図１に示す浴室１０１の天井パネルに開口を形成して設置され、フロントパネル３７が浴室１０１に面して取り付けられる。また、浴室空調装置３Ａは、排気口３６ｂに排気ダクトジョイント３９が取り付けられ、排気ダクトジョイント３９に排気ダクト１０３が接続される。
【００６２】
排気ダクト１０３は、図示しない建物の外壁１０４に取り付けた屋外グリル１０３ａに接続され、浴室空調装置３Ａで浴室１０１等から吸い込んだ空気を、排気ダクト１０３を介して屋外に排気できる構成となっている。
【００６３】
上述した構成の浴室空調装置３Ａでは、ファンモータ３３ａによりファン３３が回転駆動されると、フロントパネル３７の吸込グリル３７ａからファン吸込口３４ａに空気ＲＡが吸い込まれる。
【００６４】
ダンパ３５の位置が図６（ａ）に示す循環位置であると、ファン吸込口３４ａから吹出口３６ａへの循環風路３１ａが形成されるので、吸込グリル３７ａから吸い込まれた空気ＲＡは、循環風路３１ａを通ってフロントパネル３７の吹出グリル３７ｂから吹き出される。
【００６５】
ヒータ３２は、循環風路３１ａの吹出口３６ａに配置されるので、ヒータ３２が通電されることで、循環風路３１ａを通る空気が温められて、温風ＨＡが吹出グリル３７ｂから吹き出す。
【００６６】
これにより、加湿暖房運転モード及び暖房運転モードでは、ダンパ３５を循環位置に移動させて、ファン部３０を駆動すると共に、ヒータ３２に通電することで、図１に示す浴室１０１の空気を循環させながら、浴室１０１内に温風ＨＡが吹き出される。
【００６７】
また、涼風運転モードでは、ダンパ３５を循環位置に移動させて、ヒータ３２に通電せずにファン部３０を駆動することで、図１に示す浴室１０１の空気を循環させながら、浴室１０１内に室温に応じた送風が吹き出される。
【００６８】
ダンパ３５の位置が図６（ｂ）に示す換気位置であると、ファン吸込口３４ａから排気口３６ｂへの換気風路３１ｂが形成されるので、フロントパネル３７の吸込グリル３７ａから吸い込まれた空気は、換気風路３１ｂを通って排気口３６ｂから排気される。
【００６９】
これにより、換気運転モードでは、ダンパ３５を換気位置に移動させて、ファン部３０を駆動することで、浴室１０１内の湯気や湿気が排気される。
【００７０】
ダンパ３５の位置が図６（ｃ）に示す分流位置であると、ファン吸込口３４ａから吹出口３６ａへの循環風路３１ａと、ファン吸込口３４ａから排気口３６ｂへの換気風路３１ｂの双方が形成されるので、フロントパネル３７の吸込グリル３７ａから吸い込まれた空気は、一部は循環風路３１ａを通って吹出グリル３７ｂから浴室１０１内に吹き出される。
【００７１】
また、吸込グリル３７ａから吸い込まれた空気の残部は、換気風路３１ｂを通って排気口３６ｂから排気される。
【００７２】
これにより、乾燥運転モードでは、ダンパ３５を分流位置に移動させて、ファン部３０を駆動すると共に、ヒータ３２に通電することで、図１に示す浴室１０１の空気の一部を循環させて浴室１０１内に温風ＨＡを吹き出しながら、浴室１０１内の湯気や湿気が排気される。
【００７３】
なお、涼風運転モードとして、ダンパ３５を分流位置に移動させ、ヒータ３２に通電せずにファン部３０を駆動することで、図１に示す浴室１０１の空気の一部を循環させて浴室１０１内に室温に応じた送風を吹き出しながら、浴室１０１内の湯気や湿気が排気されるようにしても良い。
【００７４】
また、浴室空調装置としては、循環ファン部と換気ファン部を別に備えて循環風路と換気風路が独立した構成等でも良い。
【００７５】
（１−４）加湿空調システムを構成する給湯装置の構成例
図７は、第１の実施の形態の加湿空調システムを構成する給湯装置の一例を示す構成図である。
【００７６】
給湯装置４は、例えば自然冷媒（ＣＯ2）を利用したヒートポンプ方式の給湯手段の一例で、大気と冷媒との間の熱交換及び冷媒と水との間の熱交換で温水を生成するヒートポンプユニット４０と、ヒートポンプユニット４０で生成された温水を貯水する貯湯タンクユニット４１を備える。
【００７７】
ヒートポンプユニット４０は、大気と冷媒との間で熱交換を行って、冷媒の温度を上昇させる空気熱交換器４０ａと、冷媒と水との間で熱交換を行って、水の温度を上昇させる水熱交換器４０ｂを備える。
【００７８】
また、ヒートポンプユニット４０は、空気熱交換器４０ａに大気を供給するファン４０ｃと、空気熱交換器４０ａと水熱交換器４０ｂとの間を接続して、空気熱交換器４０ａと水熱交換器４０ｂとの間で冷媒を循環させる冷媒配管４０ｄを備える。
【００７９】
更に、ヒートポンプユニット４０は、空気熱交換器４０ａと水熱交換器４０ｂの間で空気熱交換器４０ａの下流側に、空気熱交換器４０ａで熱交換されて冷媒配管４０ｄを流れる冷媒を圧縮して、温度を更に上昇させる圧縮機４０ｅを備える。また、ヒートポンプユニット４０は、空気熱交換器４０ａと水熱交換器４０ｂの間で水熱交換器４０ｂの下流側に、水熱交換器４０ｂで熱交換されて冷媒配管４０ｄを流れる冷媒を膨張させて、温度を低下させる膨張弁４０ｆを備える。
【００８０】
貯湯タンクユニット４１は、ヒートポンプユニット４０で生成された温水を貯水するタンク４２を備える。タンク４２は、下部側に水が供給されると共に、上部側に温水が供給されて、下部側に比べて上部側の温度が高くなる層化した状態で温水を貯水する。
【００８１】
ヒートポンプユニット４０と貯湯タンクユニット４１は、水熱交換器４０ｂとタンク４２の間が温水配管４３ａ及び冷水配管４３ｂで接続され、冷水配管４３ｂにポンプ４３ｃを備える。
【００８２】
温水配管４３ａは、水熱交換器４０ｂの流出側と、タンク４２の上部側に設けられる流入口４２ａとの間を接続する。また、冷水配管４３ｂは、水熱交換器４０ｂの流入側と、タンク４２の下部側に設けられる流出口４２ｂの間を接続する。
【００８３】
ポンプ４３ｃは、冷水配管４３ｂを介してタンク４２の流出口４２ｂから水を吸い込んで水熱交換器４０ｂに供給し、水熱交換器４０ｂを通過して生成された温水を、温水配管４３ａを介して流入口４２ａからタンク４２に供給する。
【００８４】
また、貯湯タンクユニット４１は、タンク４２に貯水された温水を取水する取水配管４４と、タンク４２に給水を行う給水配管４５が、タンク４２に接続される。
【００８５】
取水配管４４は、流入口４２ａと独立してタンク４２の上部に設けられる高温部取水口４２ｃと接続される高温部取水配管４４ａと、高温部取水口４２ｃより下側に設けられる中温部取水口４２ｄに接続される中温部取水配管４４ｂを備える。
【００８６】
また、取水配管４４は、高温部取水配管４４ａと中温部取水配管４４ｂの合流箇所に切換弁４４ｃを備え、タンク４２における取水元が、高温部取水口４２ｃか中温部取水口４２ｄに切り替えられる。
【００８７】
給水配管４５は、流出口４２ｂと独立してタンク４２の下部に設けられる給水口４２ｅと接続される。
【００８８】
更に、貯湯タンクユニット４１は、取水配管４４から供給される温水と、分岐給水配管４５ａから供給される水を混合させる給湯混合弁４６を備える。給湯混合弁４６は、取水配管４４と分岐給水配管４５ａの合流箇所に備えられ、取水配管４４から供給される温水と、分岐給水配管４５ａから供給される水の混合比を切り替えて、給湯配管４７から供給される温水の温度を調整する。
【００８９】
給湯配管４７は、図２または図４に示すミスト発生装置２Ａ，２Ｂの供給配管２４ａ、図１に示す浴室１０１の蛇口やシャワー１０１ａ、洗面脱衣所１０２の蛇口１０２ａ及び台所１０５の図示しない蛇口等と接続され、温水を供給する。
【００９０】
上述した構成の給湯装置４では、貯湯タンクユニット４１のタンク４２に、給水配管４５から水が供給される。タンク４２に供給された水は、冷水配管４３ｂによりヒートポンプユニット４０の水熱交換器４０ｂに供給される。
【００９１】
ヒートポンプユニット４０では、ファン４０ｃにより空気熱交換器４０ａに大気が供給され、冷媒配管４０ｄを流れる冷媒との間で熱交換が行われ、冷媒の温度が上昇する。空気熱交換器４０ａで熱交換が行われた冷媒は、圧縮機４０ｅで圧縮されることで、温度が更に上昇する。
【００９２】
そして、圧縮機４０ｅで圧縮されて温度を上昇させた冷媒は、水熱交換器４０ｂに供給される。これにより、水熱交換器４０ｂにおいては、大気との熱交換及び圧縮により温度を上昇させた冷媒と、貯湯タンクユニット４１から供給された水との間で熱交換が行われ、温水が生成される。
【００９３】
水熱交換器４０ｂで熱交換された冷媒は、膨張弁４０ｆで膨張させて温度を低下させ、再度空気熱交換器４０ａに供給される。
【００９４】
また、水熱交換器４０ｂで熱交換されて生成された温水は、温水配管４３ａによりタンク４２に戻される。これにより、タンク４２は、上部側が温度が高く、下部側が温度の低い層化した状態で温水と水が貯水される。
【００９５】
タンク４２に貯水された温水は、取水配管４４により取水される。ここで、供給する温水の温度が高い場合は、切替弁４４ｃにより高温部取水配管４４ａから温水を取水し、供給する温水の温度が低い場合は、中温部取水配管４４ｂから温水を取水する。
【００９６】
取水配管４４により取水された温水は、分岐給水配管４５ｂから供給される水と給湯混合弁４６で混合される。給湯混合弁４６で温水と水の混合比を切り替えることで、給湯配管４７から供給される温水の温度が調整される。そして、給湯配管４７から供給される温水は、ミスト発生装置２、浴室１０１、洗面脱衣所１０２及び台所１０５等に分配される。
【００９７】
なお、給湯装置４は、自然冷媒を利用したヒートポンプ方式でない電気温水器や、ガス給湯器、他の熱源を利用した給湯器でも良い。
【００９８】
（１−５）加湿空調システムの制御機能例
図８及び図９は、第１の実施の形態の加湿空調システムの制御系の一例を示す機能ブロック図で、図８は、第１の例のミスト発生装置２Ａを備えた加湿空調システム１Ａの機能ブロック図、図９は、第２の例のミスト発生装置２Ｂを備えた加湿空調システム１Ａの機能ブロック図である。
【００９９】
加湿空調システム１Ａは、浴室空調装置３Ａに備えられた主制御部７Ａに、図６で説明した浴室空調装置３Ａのヒータ３２と、ファン部３０のファン３３を駆動するファンモータ３３ａと、ダンパ３５を駆動するダンパモータ３５ｃと、温度検知センサ３８ａ等が接続される。
【０１００】
また、加湿空調システム１Ａは、図２に示すミスト発生装置２Ａを備えた構成では、ミスト発生装置２Ａに備えられた副制御部８Ａに、図２で説明した噴出ノズル切換電磁弁２１ａと、供給切換電磁弁２１ｂと、排水切換電磁弁２１ｃ等が接続される。
【０１０１】
あるいは、加湿空調システム１Ａは、図４に示すミスト発生装置２Ｂを備えた構成では、ミスト発生装置２Ｂに備えられた副制御部８Ａに、図４で説明した加圧ポンプ２５と、噴出切換電磁弁２１ｄと、供給切換電磁弁２１ｂと、排水切換電磁弁２１ｃ等が接続される。
【０１０２】
更に、主制御部７Ａに主操作部５Ａが接続され、副制御部８Ａに副操作部６Ａが接続されると共に、主制御部７Ａに副制御部８Ａが接続される。
【０１０３】
主制御部７Ａ及び副制御部８Ａは制御手段の一例で、それぞれ図示しないＣＰＵやメモリ等を備え、主操作部５Ａ及び副操作部６Ａでの操作と、予め記憶されているプログラムに従って、浴室空調装置３Ａとミスト発生装置２が制御される。
【０１０４】
すなわち、主制御部７Ａと副制御部８Ａは、主操作部５Ａまたは副操作部６Ａでの所定の操作に従って通信を行い、ミスト発生装置２Ａの各電磁弁、またはミスト発生装置２Ｂの各電磁弁と加圧ポンプ２５を制御すると共に、浴室空調装置３Ａのヒータ３２、ファンモータ３３ａ及びダンパモータ３５ｃを制御して、図１に示す浴室１０１の加湿暖房を行う加湿暖房運転モードを実行する。
【０１０５】
また、主制御部７Ａは、浴室空調装置３Ａ単体の動作として、主操作部５Ａでの所定の操作に従って浴室空調装置３Ａのヒータ３２、ファンモータ３３ａ及びダンパモータ３５ｃを制御して、暖房運転モード、換気運転モード、乾燥運転モード、涼風運転モードまたは２４時間換気運転モードを選択的に実行する。
【０１０６】
＜第１の実施の形態の加湿空調システムの動作例＞
次に、各図を参照して、第１の実施の形態の加湿空調システム１Ａで実行される加湿暖房運転モードの動作の一例について説明する。
【０１０７】
入浴者等は、浴室１０１を加湿暖房するため、浴室１０１に設置された副操作部６Ａの所定の操作ボタン６０、または、洗面脱衣所１０２に設置された主操作部５Ａの所定の操作ボタン５０を押して、加湿暖房運転モードを選択する。
【０１０８】
加湿暖房運転モードが選択されると、主制御部７Ａは、ダンパモータ３５ｃを駆動してダンパ３５を図６（ａ）に示す循環位置に移動させ、ファンモータ３３ａを駆動してファン３３を回転させると共に、ヒータ３２に通電する。
【０１０９】
これにより、浴室空調装置３Ａでは、フロントパネル３７の吸込グリル３７ａから浴室１０１内の空気ＲＡが吸い込まれ、温風ＨＡが吹出グリル３７ｂから吹き出されて、浴室１０１内が暖房される。
【０１１０】
また、主制御部７Ａは、加湿暖房運転モードが選択されると、ミスト発生装置２Ａを備えた構成では、所定の第１の数、本例では全てのミストノズル２０からミストＭを噴出させる指示を副制御部８Ａに送信する。
【０１１１】
副制御部８Ａは、全てのミストノズル２０からミストＭを噴出させる指示を主制御部７Ａから受信すると、供給切換電磁弁２１ｂと、全ての噴出ノズル切換電磁弁２１ａを開く。
【０１１２】
これにより、給湯装置４から全てのミストノズル２０に湯ＨＷが供給され、全てのミストノズル２０からミストＭが噴出される。
【０１１３】
このように、ミスト発生装置２Ａで全てのミストノズル２０からミストＭを噴出しながら、浴室空調装置３Ａで温風ＨＡを吹き出すことで、浴室１０１が加湿暖房されて、短時間で所定の高湿のミストサウナ状態となる。
【０１１４】
ここで、主制御部７Ａは、加湿暖房運転モードが選択されると、浴室空調装置３Ａで温風ＨＡを吹き出して、浴室１０１の暖房を開始した後、温度検知センサ３８ａで検知された浴室１０１の温度が所定のミスト噴出適合室温に上昇してから、ミストＭの噴出を開始する制御を行っても良い。
【０１１５】
また、給湯装置４から供給された湯ＨＷの温度を図示しない水温検知センサで検知して、副制御部８Ａは、主制御部７ＡからミストＭを噴出させる指示を受信すると、給湯装置４から供給された湯ＨＷの温度が所定のミスト噴出適合水温に上昇するまでは、ミストノズル２０からミストＭを噴出させない制御を行っても良い。
【０１１６】
すなわち、副制御部８Ａは、主制御部７ＡからミストＭを噴出させる指示を受信すると、全ての噴出ノズル切換電磁弁２１ａは閉じた状態で、供給切換電磁弁２１ｂと排水切換電磁弁２１ｃは開き、給湯装置４から供給された湯ＨＷの温度がミスト噴出適合水温に上昇するまでは、給湯装置４から供給された湯ＨＷを排水配管２４ｂへ送って、ミストノズル２０からミストＭを噴出させない。
【０１１７】
そして、給湯装置４から供給された湯ＨＷの温度がミスト噴出適合水温まで上昇すると、供給切換電磁弁２１ｂは開いた状態で、全ての噴出ノズル切換電磁弁２１ａは開くと共に、排水切換電磁弁２１ｃは閉じて、給湯装置４からミストノズル２０に湯ＨＷを供給し、所定の温度のミストＭをミストノズル２０から噴出させる。
【０１１８】
このように、加湿暖房運転モードにおいて、浴室空調装置３Ａにより温風ＨＡを吹き出して浴室１０１内の温度を上昇させてから、ミスト発生装置２Ａで所定の温度に達したミストＭの噴出を行うことで、入浴者（利用者）に冷感を与えないようにすることができる。
【０１１９】
一方、ミスト発生装置２Ｂを備えた構成では、加湿暖房運転モードが選択されると、主制御部７Ａは、所定の第１の給湯圧でミストＭを噴出させる指示を副制御部８Ａに送信する。
【０１２０】
副制御部８Ａは、第１の給湯圧でミストＭを噴出させる指示を主制御部７Ａから受信すると、供給切換電磁弁２１ｂと噴出切換電磁弁２１ｄを開くと共に、給湯装置４からミストノズル２０に供給される湯ＨＷを、加圧ポンプ２５により第１の給湯圧で加圧する。
【０１２１】
これにより、給湯装置４からミストノズル２０に第１の給湯圧で湯ＨＷが供給され、ミストノズル２０から所定の第１の噴出量でミストＭが噴出される。
【０１２２】
このように、ミスト発生装置２Ｂで所定の第１の噴出量でミストＭを噴出しながら、浴室空調装置３Ａで温風ＨＡを吹き出すことで、浴室１０１が加湿暖房されて、短時間で高湿のミストサウナ状態となる。
【０１２３】
ここで、ミスト発生装置２Ｂを備えた構成でも、主制御部７Ａは、加湿暖房運転モードが選択されると、浴室空調装置３Ａで温風ＨＡを吹き出して、浴室１０１の暖房を開始した後、温度検知センサ３８ａで検知された浴室１０１の温度が所定のミスト噴出適合室温に上昇してから、ミストＭの噴出を開始する制御を行っても良い。
【０１２４】
また、給湯装置４から供給された湯ＨＷの温度を図示しない水温検知センサで検知して、副制御部８Ａは、主制御部７ＡからミストＭを噴出させる指示を受信すると、給湯装置４から供給された湯ＨＷの温度が所定のミスト噴出適合水温に上昇するまでは、ミストノズル２０からミストＭを噴出させない制御を行っても良い。
【０１２５】
すなわち、副制御部８Ａは、主制御部７ＡからミストＭを噴出させる指示を受信すると、噴出切換電磁弁２１ｄは閉じた状態で、供給切換電磁弁２１ｂと排水切換電磁弁２１ｃは開き、給湯装置４から供給された湯ＨＷの温度がミスト噴出適合水温に上昇するまでは、給湯装置４から供給された湯ＨＷを排水配管２４ｂへ送って、ミストノズル２０からミストＭを噴出させない。
【０１２６】
そして、給湯装置４から供給された湯ＨＷの温度がミスト噴出適合水温まで上昇すると、供給切換電磁弁２１ｂは開いた状態で、噴出切換電磁弁２１ｄは開くと共に、排水切換電磁弁２１ｃは閉じて、給湯装置４からミストノズル２０に湯ＨＷを供給する。更に、ミストノズル２０に供給される湯ＨＷを、加圧ポンプ２５により第１の給湯圧で加圧して、所定の温度のミストＭをミストノズル２０から噴出させる。
【０１２７】
このように、ミスト発生装置２Ｂを備えた構成でも、加湿暖房運転モードにおいて、浴室空調装置３Ａにより温風ＨＡを吹き出して浴室１０１内の温度を上昇させてから、ミスト発生装置２Ｂで所定の温度に達したミストＭの噴出を行うことで、入浴者（利用者）に冷感を与えないようにすることができる。
【０１２８】
上述したように、加湿暖房運転モードでは、浴室空調装置３Ａで温風ＨＡを吹き出すことで、浴室１０１内の温度が上昇する。このため、主制御部７Ａは、温度検知センサ３８ａで検知した浴室１０１の温度が所定の上限温度となると、ヒータ３２の通電を停止すると共に、ファンモータ３３ａの駆動を停止する。
【０１２９】
これにより、浴室空調装置３Ａからの温風ＨＡの吹き出しが停止することで、浴室１０１内の温度が低下する。
【０１３０】
そして、主制御部７Ａは、温度検知センサ３８ａで検知した浴室１０１の温度が所定の下限温度となると、ヒータ３２の通電及びファンモータ３３ａの駆動を再開する。
【０１３１】
以上のように、浴室空調装置３Ａのヒータ３２を間欠駆動する制御によって、浴室１０１内の温度が一定の範囲に保たれるようにしている。
【０１３２】
図１０は、第１の実施の形態の加湿空調システムにおける浴室空調装置のヒータ制御と浴室内の温湿度の関係を示すグラフ、図１１は、比較例として、従来のヒータ制御と浴室内の温湿度の関係を示すグラフである。
【０１３３】
図１１に示す例では、ミスト発生装置で一定量のミストを噴出している状態で、浴室空調装置のヒータを間欠駆動している。このように、ミスト発生装置で一定量のミストを噴出している状態で、浴室空調装置のヒータが通電されると、浴室の温度の上昇と共に相対湿度が低下し、ヒータの通電を停止すると、温度低下と共に相対湿度が上昇するので、浴室１０１内の湿度が大きく変動する。
【０１３４】
このような湿度の変動を解消するため、主制御部７Ａは、浴室空調装置３Ａのヒータ３２に通電すると加湿量を増加させ、ヒータ３２の通電を停止すると加湿量を減少させる制御を行う。
【０１３５】
すなわち、ミスト発生装置２Ａを備えた構成では、主制御部７Ａは、浴室空調装置３Ａのヒータ３２に通電すると、所定の第１の数、本例では全てのミストノズル２０からミストＭを噴出させる指示を副制御部８Ａに送信する。
【０１３６】
副制御部８Ａは、全てのミストノズル２０からミストＭを噴出させる指示を主制御部７Ａから受信すると、全ての噴出ノズル切換電磁弁２１ａを開く。
【０１３７】
これにより、図３（ａ）に示すように、複数のミストノズル２０の全てからミストＭが噴出されることで、ミストＭの噴出量が増えて加湿量が増やされ、図１０に示すように、温度上昇に伴う相対湿度の低下が抑えられる。
【０１３８】
これに対して、温度検知センサ３８ａで検知された浴室１０１の温度が所定の上限温度になって、ヒータ３２の通電を停止させると、主制御部７Ａは、第１の数より少ない第２の数、本例では半数のミストノズル２０からミストＭを噴出させる指示を副制御部８Ａに送信する。
【０１３９】
副制御部８Ａは、半数のミストノズル２０からミストＭを噴出させる指示を主制御部７Ａから受信すると、半数の噴出ノズル切換電磁弁２１ａを閉じる。
【０１４０】
これにより、図３（ｂ）に示すように、ミストＭを噴出するミストノズル２０の数が減ることで、ミストＭの噴出量が減って加湿量が減らされ、図１０に示すように、温度低下に伴う相対湿度の上昇が抑えられる。
【０１４１】
ミスト発生装置２Ｂを備えた構成では、主制御部７Ａは、浴室空調装置３Ａのヒータ３２に通電すると、所定の第１の給湯圧でミストＭを噴出させる指示を副制御部８Ａに送信する。
【０１４２】
副制御部８Ａは、第１の給湯圧でミストＭを噴出させる指示を主制御部７Ａから受信すると、給湯装置４からミストノズル２０に供給される湯ＨＷを、加圧ポンプ２５により第１の給湯圧で加圧する。
【０１４３】
これにより、図５（ａ）に示すように、ミストノズル２０から噴出するミストＭの噴出量が増えることで加湿量が増やされ、図１０に示すように、温度上昇に伴う相対湿度の低下が抑えられる。
【０１４４】
これに対して、温度検知センサ３８ａで検知された浴室１０１の温度が所定の上限温度になって、ヒータ３２の通電を停止させると、主制御部７Ａは、第１の給湯圧より低い第２の給湯圧でミストＭを噴出させる指示を副制御部８Ａに送信する。
【０１４５】
副制御部８Ａは、第２の給湯圧でミストＭを噴出させる指示を主制御部７Ａから受信すると、加圧ポンプ２５による給湯圧を第１の給湯圧から第２の給湯圧に下げる。
【０１４６】
これにより、図５（ｂ）に示すように、ミストノズル２０から噴出するミストＭの噴出量が第１の噴出量から第２の噴出量に減ることで加湿量が減らされ、図１０に示すように、温度低下に伴う相対湿度の上昇が抑えられる。
【０１４７】
このように、浴室空調装置３Ａで温風を吹き出すヒータ３２の駆動に連動して加湿量の制御を行うことで、浴室１０１内の湿度の大きな変動が抑えられる。従来の制御であると、浴室１０１内の湿度の変動が２０％程度であり、入浴者が湿度の変動を感じていた。これに対して、本実施の形態の制御では、浴室１０１内の湿度の変動が１０％以下に抑えられ、入浴者が湿度の変動を感じることはない。
【０１４８】
従って、加湿量が過剰になって無駄なエネルギーを消費したり、加湿量が不足して浴室１０１内が必要な湿度に達しないという問題を解決して、浴室１０１内の湿度を発汗効果が得られるような高湿の状態で維持することができる。
【０１４９】
なお、浴室１０１内の温度が略一定となるようにヒータ３２の出力を制御して、浴室１０１内の温度の変動を少なく抑えると、湿度の変動も一層少なく抑えることができる。
【０１５０】
＜第２の実施の形態の加湿空調システムの構成例＞
（２−１）加湿空調システムの全体構成例
図１２は、第２の実施の形態の加湿空調システムの一例を示す全体構成図である。
【０１５１】
第２の実施の形態の加湿空調システム１Ｂは、第１の実施の形態の加湿空調システム１Ａと同様に、霧状のミストＭを浴室１０１に噴出するミスト発生装置２と、浴室１０１の暖房等を行う浴室空調装置３Ａと、ミスト発生装置２に供給される湯ＨＷを生成する給湯装置４とを備える。
【０１５２】
加湿空調システム１Ｂは、洗面脱衣所１０２に設置された主操作部５Ａ及び浴室１０１に設置された副操作部６Ａで操作され、ミスト発生装置２及び浴室空調装置３Ａが主制御部７Ａ及び副制御部８Ａに制御される。
【０１５３】
加湿空調システム１Ｂでは、主操作部５Ａまたは副操作部６Ａの操作で例えば加湿暖房運転モードが選択され、加湿暖房運転モードでは、ミスト発生装置２でミストＭを噴出しながら、浴室空調装置３Ａで循環風により温風ＨＡを吹き出して、浴室１０１の加湿暖房を行う。
【０１５４】
そして、加湿空調システム１Ｂは、湿度検知手段の一例である湿度検知センサ３８ｂを、ミスト発生装置２、浴室空調装置３Ａ、操作部の一例である副操作部６Ａの少なくとも何れかに備え、加湿暖房運転モードでは、湿度検知センサ３８ｂで検知された浴室１０１の湿度に応じて、ミスト発生装置２によるミストＭの噴出量の制御を行い、浴室１０１内の湿度が一定値に近づくようにする。
【０１５５】
なお、湿度検知センサ３８ｂを複数個所に備え、各湿度検知センサ３８ｂで検知された湿度の平均を求める等により、浴室１０１の湿度を検知することで、より正確に浴室１０１内の湿度を検知可能となる。また、湿度検知センサ３８ｂは、浴室１０１の天井や壁面に設置しても良い。
【０１５６】
ここで、ミスト発生装置２は、例えば、図２等で説明した構成のミスト発生装置２Ａ、または、図４等で説明した構成のミスト発生装置２Ｂである。また、湿度検知センサ３８ｂをミスト発生装置２に備える構成では、例えば、浴室１０１に面したフロントパネル２３内に湿度検知センサ３８ｂを備える。
【０１５７】
また、浴室空調装置３Ａは、例えば、図６で説明した構成であり、湿度検知センサ３８ｂを浴室空調装置３Ａに備える構成では、例えば、浴室１０１に面したフロントパネル３７内、または、図６で説明したファン吸込口３４ａに湿度検知センサ３８ｂを備える。
【０１５８】
＜第２の実施の形態の加湿空調システムの動作例＞
次に、各図を参照して、第２の実施の形態の加湿空調システム１Ｂで実行される加湿暖房運転モードの動作の一例について説明する。
【０１５９】
入浴者等は、浴室１０１を加湿暖房するため、浴室１０１に設置された副操作部６Ａの所定の操作ボタン６０、または、洗面脱衣所１０２に設置された主操作部５Ａの所定の操作ボタン５０を押して、加湿暖房運転モードを選択する。
【０１６０】
加湿暖房運転モードが選択されると、主制御部７Ａは、浴室空調装置３Ａのダンパ３５を図６（ａ）に示す循環位置に移動させ、ファンモータ３３ａを駆動してファン３３を回転させると共に、ヒータ３２に通電する。
【０１６１】
これにより、浴室空調装置３Ａでは、フロントパネル３７の吸込グリル３７ａから浴室１０１内の空気ＲＡが吸い込まれ、温風ＨＡが吹出グリル３７ｂから吹き出されて、浴室１０１内が暖房される。
【０１６２】
また、主制御部７Ａは、加湿暖房運転モードが選択されると、ミスト発生装置２Ａを備えた構成では、所定の第１の数、本例では全てのミストノズル２０からミストＭを噴出させる指示を副制御部８Ａに送信する。
【０１６３】
副制御部８Ａは、全てのミストノズル２０からミストＭを噴出させる指示を主制御部７Ａから受信すると、供給切換電磁弁２１ｂと、全ての噴出ノズル切換電磁弁２１ａを開く。
【０１６４】
これにより、給湯装置４から全てのミストノズル２０に湯ＨＷが供給され、全てのミストノズル２０からミストＭが噴出される。
【０１６５】
このように、ミスト発生装置２Ａで全てのミストノズル２０からミストＭを噴出しながら、浴室空調装置３Ａで温風ＨＡを吹き出すことで、浴室１０１が加湿暖房されて、短時間で所定の高湿のミストサウナ状態となる。
【０１６６】
ここで、主制御部７Ａは、加湿暖房運転モードが選択されると、浴室空調装置３Ａで温風ＨＡを吹き出して、浴室１０１の暖房を開始した後、温度検知センサ３８ａで検知された浴室１０１の温度が所定のミスト噴出適合室温に上昇してから、ミストＭの噴出を開始する制御を行っても良い。
【０１６７】
また、副制御部８Ａは、給湯装置４から供給された湯ＨＷの温度を図示しない水温検知センサで検知し、水温に応じて排水切換電磁弁２１ｃと噴出ノズル切換電磁弁２１ａの開閉を切り換えて、給湯装置４から供給された湯ＨＷの温度が所定のミスト適合水温に上昇すると、ミストＭの噴出を開始する制御を行っても良い。
【０１６８】
一方、ミスト発生装置２Ｂを備えた構成では、加湿暖房運転モードが選択されると、主制御部７Ａは、所定の第１の給湯圧でミストＭを噴出させる指示を副制御部８Ａに送信する。
【０１６９】
副制御部８Ａは、第１の給湯圧でミストＭを噴出させる指示を主制御部７Ａから受信すると、供給切換電磁弁２１ｂと噴出切換電磁弁２１ｄを開くと共に、給湯装置４からミストノズル２０に供給される湯ＨＷを、加圧ポンプ２５により第１の給湯圧で加圧する。
【０１７０】
これにより、給湯装置４からミストノズル２０に第１の給湯圧で湯ＨＷが供給され  ミストノズル２０から所定の第１の噴出量でミストＭが噴出される。
【０１７１】
このように、ミスト発生装置２Ｂで所定の第１の噴出量でミストＭを噴出しながら、浴室空調装置３Ａで温風ＨＡを吹き出すことで、浴室１０１が加湿暖房されて、短時間で高湿のミストサウナ状態となる。
【０１７２】
ここで、ミスト発生装置２Ｂを備えた構成でも、主制御部７Ａは、加湿暖房運転モードが選択されると、浴室空調装置３Ａで温風ＨＡを吹き出して、浴室１０１の暖房を開始した後、温度検知センサ３８ａで検知された浴室１０１の温度が所定のミスト噴出適合室温に上昇してから、ミストＭの噴出を開始する制御を行っても良い。
【０１７３】
また、副制御部８Ａは、給湯装置４から供給された湯ＨＷの温度を図示しない水温検知センサで検知し、水温に応じて排水切換電磁弁２１ｃと噴出切換電磁弁２１ｄの開閉を切り換えて、給湯装置４から供給された湯ＨＷの温度が所定のミスト適合水温に上昇すると、ミスト発生装置２ＢでミストＭの噴出を開始する制御を行っても良い。
【０１７４】
上述したように、加湿暖房運転モードでは、ミスト発生装置２でミストＭを噴出することで、浴室１０１内の湿度が上昇する。このため、湿度検知センサ３８ｂで検知された浴室１０１の湿度が所定の上限湿度となると、ミスト発生装置２Ａを備えた構成では、主制御部７Ａは、第１の数より少ない第２の数、本例では半数のミストノズル２０からミストＭを噴出させる指示を副制御部８Ａに送信する。
【０１７５】
副制御部８Ａは、半数のミストノズル２０からミストＭを噴出させる指示を主制御部７Ａから受信すると、半数の噴出ノズル切換電磁弁２１ａを閉じる。
【０１７６】
これにより、図３（ｂ）に示すように、ミストＭを噴出するミストノズル２０の数が減ることで、ミストＭの噴出量が減って加湿量が減らされ、浴室１０１内の湿度の上昇が抑えられる。
【０１７７】
ミスト発生装置２Ａで噴出されるミストＭの噴出量を減らすと、浴室１０１内の湿度が低下する。そして、湿度検知センサ３８ｂで検知された浴室１０１の湿度が所定の下限湿度となると、主制御部７Ａは、本例では全てのミストノズル２０からミストＭを噴出させる指示を副制御部８Ａに送信する。
【０１７８】
副制御部８Ａは、全てのミストノズル２０からミストＭを噴出させる指示を主制御部７Ａから受信すると、全ての噴出ノズル切換電磁弁２１ａを開く。
【０１７９】
これにより、図３（ａ）に示すように、ミストＭを噴出するミストノズル２０の数が増えることで、ミストＭの噴出量が増えて加湿量が増やされ、浴室１０１内の湿度の低下が抑えられる。
【０１８０】
また、湿度検知センサ３８ｂで検知された浴室１０１の湿度が所定の上限湿度となると、ミスト発生装置２Ｂを備えた構成では、主制御部７Ａは、第１の給湯圧より低い第２の給湯圧でミストＭを噴出させる指示を副制御部８Ａに送信する。
【０１８１】
副制御部８Ａは、第２の給湯圧でミストＭを噴出させる指示を主制御部７Ａから受信すると、加圧ポンプ２５による給湯圧を第１の給湯圧から第２の給湯圧に下げる。
【０１８２】
これにより、図５（ｂ）に示すように、ミストノズル２０から噴出するミストＭの噴出量が第１の噴出量から第２の噴出量に減ることで加湿量が減らされ、浴室１０１内の湿度の上昇が抑えられる。
【０１８３】
ミスト発生装置２Ｂで噴出されるミストＭの噴出量を減らすと、浴室１０１内の湿度が低下する。そして、湿度検知センサ３８ｂで検知された浴室１０１の湿度が所定の下限湿度となると、主制御部７Ａは、第１の給湯圧でミストＭを噴出させる指示を副制御部８Ａに送信する。
【０１８４】
副制御部８Ａは、第１の給湯圧でミストＭを噴出させる指示を主制御部７Ａから受信すると、加圧ポンプ２５による給湯圧を第２の給湯圧から第１の給湯圧に上げる。
【０１８５】
これにより、図５（ａ）に示すように、ミストノズル２０から噴出するミストＭの噴出量が第２の噴出量から第１の噴出量に増えることで加湿量が増やされ、浴室１０１内の湿度の低下が抑えられる。
【０１８６】
このような制御を行うことで、浴室１０１内の湿度は所定の上限湿度と下限湿度との間に収まり、大きな変動が抑えられる。本実施の形態の制御では、例えば、浴室１０１内の湿度（相対湿度）が１００％になると加湿量を減少させ、湿度が９５パーセントなると加湿量を増加させることで、浴室１０１内の湿度の変動が１０％以下に抑えられ、入浴者が湿度の変動を感じないようにすることができる。
【０１８７】
従って、加湿量が過剰になって無駄なエネルギーを消費したり、加湿量が不足して浴室１０１内が必要な湿度に達しないという問題を解決して、浴室１０１内の湿度を発汗効果が得られるような高湿の状態で維持することができる。
【０１８８】
＜第３の実施の形態の加湿空調システムの構成例＞
（３−１）加湿空調システムの全体構成例
図１３は、第３の実施の形態の加湿空調システムの一例を示す全体構成図である。
【０１８９】
第３の実施の形態の加湿空調システム１Ｃは、加湿空気ＷＡを浴室１０１に吹き出す加湿装置９と、例えば、図６で説明した構成を有して、浴室１０１の暖房等を行う浴室空調装置３Ａとを備える。
【０１９０】
加湿空調システム１Ｃは、洗面脱衣所１０２に設置された主操作部５Ａ及び浴室１０１に設置された副操作部６Ｂで操作され、加湿装置９及び浴室空調装置３Ａが主制御部７Ａ及び副制御部８Ｂに制御される。
【０１９１】
加湿空調システム１Ｃでは、主操作部５Ａまたは副操作部６Ｂの操作で例えば加湿暖房運転モードが選択され、加湿暖房運転モードでは、加湿装置９で加湿空気ＷＡを吹き出しながら、浴室空調装置３Ａで循環風により温風ＨＡを吹き出して、浴室１０１の加湿暖房を行う。
【０１９２】
そして、加湿空調システム１Ｃは、加湿暖房運転モードでは、浴室空調装置３Ａで温風ＨＡを吹き出すヒータ３２の駆動の有無に連動させて、加湿装置９で吹き出される加湿空気ＷＡ中の水分量の制御を行い、浴室１０１内の湿度が一定値に近づくようにする。
【０１９３】
（３−２）加湿空調システムを構成する加湿装置の構成例
図１４は、第３の実施の形態の加湿空調システムを構成する加湿装置の第１の例を示す構成図である。
【０１９４】
第１の例の加湿装置９Ａは、ヒータを利用した形態の加湿装置で、水蒸気ＷＶを発生させて加湿空気ＷＡを生成する加湿部９０Ａと、浴室１０１から吸い込んだ空気ＲＡを循環させて、加湿空気ＷＡを吹き出す送風ファン部９１を備える。
【０１９５】
加湿部９０Ａは加湿手段の一例で、水Ｗを貯める水槽９２Ａと、水槽９２Ａに貯水された水Ｗを加熱して水蒸気ＷＶを発生させる水加熱手段としてのヒータ９３Ａと、送風ファン部９１で循環させる空気が、ヒータ９３Ａの動作で発生させた水蒸気ＷＶで加湿されて、加湿空気ＷＡが生成される加湿風路９４を備える。
【０１９６】
水槽９２Ａは、加湿風路９４に面して上部に開口を有すると共に、底部に単数または複数のヒータ９３Ａを備え、水槽９２Ａに貯水された水Ｗをヒータ９３Ａで加熱することで水蒸気ＷＶを発生させて、水槽９２Ａの上部の加湿風路９４へ拡散させる。
【０１９７】
送風ファン部９１は送風手段の一例で、ファンモータ９５ａに回転駆動される多翼のファン９５と、風路を形成するファンケース９６を備える。ファンケース９６は、ファン９５が回転駆動されると、ファン９５の軸方向に形成されたファン吸込口９６ａから空気を吸い込み、加湿風路９４に吹き出す風路を形成する。
【０１９８】
これにより、ファン９５が回転駆動されると、ファン吸込口９６ａから吸い込まれた空気が加湿風路９４に吹き出され、加湿風路９４に吹き出された空気が、水槽９２Ａに貯水された水Ｗをヒータ９３Ａで加熱することで発生させた水蒸気ＷＶで加湿されて、加湿空気ＷＡが生成される。
【０１９９】
そして、ヒータ９３Ａの通電率制御、ヒータ９３Ａの通電時間の制御、ヒータ９３Ａを複数備えた構成では通電本数の制御等によって、加湿空気ＷＡ中の水分量が制御される。
【０２００】
加湿装置９Ａは、水槽９２Ａに給水を行う給水機構９２ｓと、水槽９２Ａの排水を行う排水機構９２ｅと、水槽９２Ａ内の水位を検出する水位センサ９２ｗを備える。
【０２０１】
給水機構９２ｓは、図示しない上水管と接続され、例えば水槽９２Ａの上部に給水口９２ｓｗを備えると共に、給水ＳＷの有無を切り替える給水バルブ９２ｓｂを備える。
【０２０２】
また、排水機構９２ｅは、浴室１０１の図示しない排水管と接続され、水槽９２Ａの底面に排水口９２ｅｗを備えると共に、排水ＥＷの有無を切り替える排水バルブ９２ｅｂを備える。
【０２０３】
更に、水位センサ９２ｗは、水槽９２Ａ内にフロートを備え、フロートの位置で水位を検出する。
【０２０４】
加湿装置９Ａは、下面にフロントパネル９７を備える。フロントパネル９７は、加湿装置９Ａに着脱できるように取り付けられ、送風ファン部９１のファン吸込口９６ａとつながる吸込グリル９７ａと、加湿風路９４とつながる吹出グリル９７ｂを備える。
【０２０５】
これにより、加湿装置９Ａは、加湿部９０Ａと送風ファン部９１が駆動されると、吸込グリル９７ａから空気ＲＡが吸い込まれ、吸込グリル９７ａから吸い込まれた空気が加湿風路９４で加湿されて、吹出グリル９７ｂから加湿空気ＷＡが吹き出される。
【０２０６】
図１５は、第３の実施の形態の加湿空調システムを構成する加湿装置の第２の例を示す構成図である。
【０２０７】
第２の例の加湿装置９Ｂは、超音波振動子を利用した形態の加湿装置で、微細化した水滴Ｆを発生させて加湿空気ＷＡを生成する加湿部９０Ｂと、浴室１０１から吸い込んだ空気ＲＡを循環させて、加湿空気ＷＡを吹き出す送風ファン部９１を備える。
【０２０８】
加湿部９０Ｂは加湿手段の一例で、水Ｗを貯める水槽９２Ｂと、水槽９２Ｂに貯水された水Ｗを振動させて微細化した水滴Ｆを発生させる超音波振動子９３Ｂと、送風ファン部９１で循環させる空気が、超音波振動子９３Ｂの動作で微細化されて拡散された水滴Ｆで加湿されて、加湿空気ＷＡが生成される加湿風路９４を備える。
【０２０９】
水槽９２Ｂは、加湿風路９４に面して上部に開口を有すると共に、底部に単数または複数の超音波振動子９３Ｂを備え、水槽９２Ｂに貯水された水Ｗを超音波振動子９３Ｂで振動させることで、微細化した霧状の水滴Ｆを発生させて、水槽９２Ｂの上部の加湿風路９４へ拡散させる。
【０２１０】
送風ファン部９１は送風手段の一例で、ファンモータ９５ａに回転駆動される多翼のファン９５と、風路を形成するファンケース９６を備える。ファンケース９６は、ファン９５が回転駆動されると、ファン９５の軸方向に形成されたファン吸込口９６ａから空気を吸い込み、加湿風路９４に吹き出す風路を形成する。
【０２１１】
これにより、ファン９５が回転駆動されると、ファン吸込口９６ａから吸い込まれた空気が加湿風路９４に吹き出され、加湿風路９４に吹き出された空気が、水槽９２Ｂに貯水された水Ｗを超音波振動子９３Ｂで振動させることで発生させた霧状の水滴Ｆで加湿されて、加湿空気ＷＡが生成される。
【０２１２】
そして、超音波振動子９３Ｂの通電電圧の制御、超音波振動子９３Ｂの通電周波数制御、超音波振動子９３Ｂを複数備えた構成では通電本数の制御等によって、加湿空気ＷＡ中の水分量が制御される。
【０２１３】
加湿装置９Ｂは、水槽９２Ａに給水を行う給水機構９２ｓと、水槽９２Ａの排水を行う排水機構９２ｅと、水槽９２Ａ内の水位を検出する水位センサ９２ｗを備える。
【０２１４】
給水機構９２ｓは、図示しない上水管と接続され、例えば水槽９２Ｂの上部に給水口９２ｓｗを備えると共に、給水ＳＷの有無を切り替える給水バルブ９２ｓｂを備える。
【０２１５】
また、排水機構９２ｅは、浴室１０１の図示しない排水管と接続され、水槽９２Ｂの底面に排水口９２ｅｗを備えると共に、排水ＥＷの有無を切り替える排水バルブ９２ｅｂを備える。
【０２１６】
更に、水位センサ９２ｗは、水槽９２Ｂ内にフロートを備え、フロートの位置で水位を検出する。
【０２１７】
加湿装置９Ｂは、下面にフロントパネル９７を備える。フロントパネル９７は、加湿装置９Ｂに着脱できるように取り付けられ、送風ファン部９１のファン吸込口９６ａとつながる吸込グリル９７ａと、加湿風路９４とつながる吹出グリル９７ｂを備える。
【０２１８】
これにより、加湿装置９Ｂは、加湿部９０Ｂと送風ファン部９１が駆動されると、吸込グリル９７ａから空気ＲＡが吸い込まれ、吸込グリル９７ａから吸い込まれた空気が加湿風路９４で加湿されて、吹出グリル９７ｂから加湿空気ＷＡが吹き出される。
【０２１９】
（３−３）加湿空調システムの制御機能例
図１６及び図１７は、第３の実施の形態の加湿空調システムの制御系の一例を示す機能ブロック図で、図１６は、第１の例の加湿装置９Ａを備えた加湿空調システム１Ｃの機能ブロック図、図１７は、第２の例の加湿装置９Ｂを備えた加湿空調システム１Ｃの機能ブロック図である。
【０２２０】
加湿空調システム１Ｃは、浴室空調装置３Ａに備えられた主制御部７Ａに、図６で説明した浴室空調装置３Ａのヒータ３２と、ファン部３０のファン３３を駆動するファンモータ３３ａと、ダンパ３５を駆動するダンパモータ３５ｃと、温度検知センサ３８ａ等が接続される。
【０２２１】
また、加湿空調システム１Ｃは、図１４に示す加湿装置９Ａを備えた構成では、加湿装置９Ａに備えられた副制御部８Ｂに、図１４で説明したヒータ９３Ａと、ファンモータ９５ａと、給水バルブ９２ｓｂと、排水バルブ９２ｅｂと、水位センサ９２ｗ等が接続される。
【０２２２】
あるいは、加湿空調システム１Ｃは、図１５に示す加湿装置９Ｂを備えた構成では、加湿装置９Ｂに備えられた副制御部８Ｂに、図１５で説明した超音波振動子９３Ｂと、ファンモータ９５ａと、給水バルブ９２ｓｂと、排水バルブ９２ｅｂと、水位センサ９２ｗ等が接続される。
【０２２３】
更に、主制御部７Ａに主操作部５Ａが接続され、副制御部８Ｂに副操作部６Ｂが接続されると共に、主制御部７Ａに副制御部８Ｂが接続される。
【０２２４】
主制御部７Ａ及び副制御部８Ｂは制御手段の一例で、それぞれ図示しないＣＰＵやメモリ等を備え、主操作部５Ａ及び副操作部６Ｂでの操作と、予め記憶されているプログラムに従って、浴室空調装置３Ａと加湿装置９が制御される。
【０２２５】
すなわち、主制御部７Ａと副制御部８Ｂは、主操作部５Ａまたは副操作部６Ｂでの所定の操作に従って通信を行い、加湿装置９Ａのヒータ９３Ａ及びファンモータ９５ａと各給排水バルブ、または、加湿装置９Ｂの超音波振動子９３Ｂ及びファンモータ９５ａと各給排水バルブを制御すると共に、浴室空調装置３Ａのヒータ３２、ファンモータ３３ａ及びダンパモータ３５ｃを制御して、図１３に示す浴室１０１の加湿暖房を行う加湿暖房運転モードを実行する。
【０２２６】
また、主制御部７Ａは、浴室空調装置３Ａ単体の動作として、主操作部５Ａでの所定の操作に従って浴室空調装置３Ａのヒータ３２、ファンモータ３３ａ及びダンパモータ３５ｃを制御して、暖房運転モード、換気運転モード、乾燥運転モード、涼風運転モードまたは２４時間換気運転モードを選択的に実行する。
【０２２７】
＜第３の実施の形態の加湿空調システムの動作例＞
次に、各図を参照して、第３の実施の形態の加湿空調システム１Ｃで実行される加湿暖房運転モードの動作の一例について説明する。
【０２２８】
入浴者等は、浴室１０１を加湿暖房するため、浴室１０１に設置された副操作部６Ｂの所定の操作ボタン６０、または、洗面脱衣所１０２に設置された主操作部５Ａの所定の操作ボタン５０を押して、加湿暖房運転モードを選択する。
【０２２９】
加湿暖房運転モードが選択されると、主制御部７Ａは、浴室空調装置３Ａのダンパモータ３５ｃを駆動してダンパ３５を図６（ａ）に示す循環位置に移動させ、ファンモータ３３ａを駆動してファン３３を回転させると共に、ヒータ３２に通電する。
【０２３０】
これにより、浴室空調装置３Ａでは、フロントパネル３７の吸込グリル３７ａから浴室１０１内の空気ＲＡが吸い込まれ、温風ＨＡが吹出グリル３７ｂから吹き出されて、浴室１０１内が暖房される。
【０２３１】
また、主制御部７Ａは、加湿暖房運転モードが選択されると、所定の第１の出力で加湿空気を吹き出させる指示を副制御部８Ｂに送信する。
【０２３２】
副制御部８Ｂは、第１の出力で加湿空気ＷＡを吹き出す指示を主制御部７Ａから受信すると、加湿装置９Ａを備えた構成では、加湿部９０Ａのヒータ９３Ａを駆動すると共に、送風ファン部９１のファンモータ９５ａを駆動する。
【０２３３】
これにより、水槽９２Ａに貯水された水Ｗが加熱されて水蒸気ＷＶが発生し、水槽９２Ａの上部の加湿風路９４へと拡散する。そして、吸込グリル９７ａから吸い込んだ浴室１０１の空気ＲＡが加湿風路９４を通って加湿され、吹出グリル９７ｂから加湿空気ＷＡが吹き出される。
【０２３４】
このように、第１の出力で加湿装置９Ａから加湿空気ＷＡを吹き出しながら、浴室空調装置３Ａで温風ＨＡを吹き出すことで、浴室１０１が加湿暖房されて、短時間で所定の高湿のミストサウナ状態となる。
【０２３５】
なお、加湿装置９Ａでは、水位センサ９２ｗの出力を監視し、水槽９２Ａ内の水が所定量となるように、給水バルブ９２ｓｂの開閉による給水と、排水バルブ９２ｅｂの開閉による排水が行われる。
【０２３６】
ここで、主制御部７Ａは、加湿暖房運転モードが選択されると、浴室空調装置３Ａで温風ＨＡを吹き出して、浴室１０１の暖房を開始した後、温度検知センサ３８ａで検知された浴室１０１の温度が所定の加湿空気吹き出し適合室温に上昇してから、加湿装置９Ａでの加湿空気ＷＡの吹き出しを開始する制御を行っても良い。
【０２３７】
一方、副制御部８Ｂは、第１の出力で加湿空気ＷＡを吹き出す指示を主制御部７Ａから受信すると、加湿装置９Ｂを備えた構成では、加湿部９０Ｂの超音波振動子９３Ｂを駆動すると共に、送風ファン部９１のファンモータ９５ａを駆動する。
【０２３８】
これにより、水槽９２Ｂに貯水された水Ｗが振動して微細化された水滴Ｆが、水槽９２Ｂの上部の加湿風路９４へと拡散する。そして、吸込グリル９７ａから吸い込んだ浴室１０１の空気ＲＡが加湿風路９４を通って加湿され、吹出グリル９７ｂから霧状の加湿空気ＷＡが吹き出される。
【０２３９】
このように、第１の出力で加湿装置９Ｂから加湿空気ＷＡを吹き出しながら、浴室空調装置３Ａで温風ＨＡを吹き出すことで、浴室１０１が加湿暖房されて、短時間で所定の高湿のミストサウナ状態となる。
【０２４０】
なお、加湿装置９Ｂでも、水位センサ９２ｗの出力を監視し、水槽９２Ｂ内の水が所定量となるように、給水バルブ９２ｓｂの開閉による給水と、排水バルブ９２ｅｂの開閉による排水が行われる。
【０２４１】
また、加湿装置９Ｂを備えた構成でも、主制御部７Ａは、加湿暖房運転モードが選択されると、浴室空調装置３Ａで温風ＨＡを吹き出して、浴室１０１の暖房を開始した後、温度検知センサ３８ａで検知された浴室１０１の温度が所定の加湿空気吹き出し適合室温に上昇してから、加湿装置９Ｂでの加湿空気ＷＡの吹き出しを開始する制御を行っても良い。
【０２４２】
さて、加湿空調システム１Ｃでも、加湿暖房運転モードでは、上述したように、主制御部７Ａは、温度検知センサ３８ａで検知した浴室１０１の温度が所定の上限温度となると、浴室空調装置３Ａにおけるヒータ３２の通電を停止すると共に、ファンモータ３３ａの駆動を停止して、浴室１０１の温度上昇を抑える。
【０２４３】
また、主制御部７Ａは、温度検知センサ３８ａで検知した浴室１０１の温度が所定の下限温度となると、ヒータ３２の通電及びファンモータ３３ａの駆動を再開し、浴室１０１の温度低下を抑える。
【０２４４】
このように、温度検知センサ３８ａで検知される浴室１０１の温度に応じて、浴室空調装置３Ａのヒータ３２を間欠駆動する制御によって、浴室１０１内の温度が一定の範囲に保たれるようにしている。
【０２４５】
そして、浴室空調装置３Ａのヒータ３２を間欠駆動することによる浴室１０１内の温度の変化に応じた浴室１０１内の湿度の変動を解消するため、主制御部７Ａは、浴室空調装置３Ａのヒータ３２の間欠駆動に連動させて、加湿装置９による加湿量を増減させる制御を行う。
【０２４６】
すなわち、加湿装置９Ａを備えた構成では、主制御部７Ａは、浴室空調装置３Ａのヒータ３２に通電すると、上述したように、所定の第１の出力で加湿空気ＷＡを吹き出させる指示を副制御部８Ｂに送信する。
【０２４７】
副制御部８Ｂは、第１の出力で加湿空気ＷＡを吹き出す指示を主制御部７Ａから受信すると、ヒータ９３Ａの通電率を高くする制御、ヒータ９３Ａの通電時間を長くする制御、ヒータ９３Ａを複数備えた構成では通電本数を増やす制御等によって、水蒸気ＷＶの発生量を増やす。
【０２４８】
これにより、加湿装置９Ａより吹き出される加湿空気ＷＡ中の水分量が増えて加湿量が増やされ、浴室空調装置３Ａのヒータ３２に通電したことによる浴室１０１の温度上昇に伴う相対湿度の低下が抑えられる。
【０２４９】
これに対して、温度検知センサ３８ａで検知された浴室１０１の温度が所定の上限温度になって、ヒータ３２の通電を停止させると、主制御部７Ａは、第１の出力より低い第２の出力で加湿空気ＷＡを吹き出させる指示を副制御部８Ｂに送信する。
【０２５０】
副制御部８Ｂは、第２の出力で加湿空気ＷＡを吹き出す指示を主制御部７Ａから受信すると、ヒータ９３Ａの通電率を低くする制御、ヒータ９３Ａの通電時間を短くする制御、ヒータ９３Ａを複数備えた構成では通電本数を減らす制御等によって、水蒸気ＷＶの発生量を減らす。
【０２５１】
これにより、加湿装置９Ａより吹き出される加湿空気ＷＡ中の水分量が減って加湿量が減らされ、浴室空調装置３Ａのヒータ３２の通電を停止したことによる浴室１０１の温度低下に伴う相対湿度の上昇が抑えられる。
【０２５２】
一方、加湿装置９Ｂを備えた構成では、副制御部８Ｂは、第１の出力で加湿空気ＷＡを吹き出す指示を主制御部７Ａから受信すると、超音波振動子９３Ｂの通電電圧を上げる制御、超音波振動子９３Ｂの通電周波数を高くする制御、超音波振動子９３Ｂを複数備えた構成では通電本数を増やす制御等によって、水滴Ｆの発生量を増やす。
【０２５３】
これにより、加湿装置９Ｂより吹き出される加湿空気ＷＡ中の水分量が増えて加湿量が増やされ、浴室空調装置３Ａのヒータ３２に通電したことによる浴室１０１の温度上昇に伴う相対湿度の低下が抑えられる。
【０２５４】
これに対して、温度検知センサ３８ａで検知された浴室１０１の温度が所定の上限温度になって、ヒータ３２の通電を停止させると、主制御部７Ａは、第１の出力より低い第２の出力で加湿空気ＷＡを吹き出させる指示を副制御部８Ｂに送信する。
【０２５５】
副制御部８Ｂは、第２の出力で加湿空気ＷＡを吹き出す指示を主制御部７Ａから受信すると、超音波振動子９３Ｂの通電電圧を下げる制御、超音波振動子９３Ｂの通電周波数を低くする制御、超音波振動子９３Ｂを複数備えた構成では通電本数を減らす制御等によって、水滴Ｆの発生量を減らす。
【０２５６】
これにより、加湿装置９Ｂより吹き出される加湿空気ＷＡ中の水分量が減って加湿量が減らされ、浴室空調装置３Ａのヒータ３２の通電を停止したことによる浴室１０１の温度低下に伴う相対湿度の上昇が抑えられる。
【０２５７】
このように、加湿空調システム１Ｃでは、浴室空調装置３Ａで温風を吹き出すヒータ３２の駆動に連動して加湿量の制御を行うことで、浴室１０１内の湿度の大きな変動が抑えられる。
【０２５８】
従って、加湿量が過剰になって無駄なエネルギーを消費したり、加湿量が不足して浴室１０１内が必要な湿度に達しないという問題を解決して、浴室１０１内の湿度を発汗効果が得られるような高湿の状態で維持することができる。
【０２５９】
＜第４の実施の形態の加湿空調システムの構成例＞
（４−１）加湿空調システムの全体構成例
図１８は、第４の実施の形態の加湿空調システムの一例を示す全体構成図である。
【０２６０】
第４の実施の形態の加湿空調システム１Ｄは、第３の実施の形態の加湿空調システム１Ｃと同様に、加湿空気ＷＡを浴室１０１に吹き出す加湿装置９と、例えば、図６で説明した構成を有して、浴室１０１の暖房等を行う浴室空調装置３Ａとを備える。
【０２６１】
加湿空調システム１Ｄは、洗面脱衣所１０２に設置された主操作部５Ａ及び浴室１０１に設置された副操作部６Ｂで操作され、加湿装置９及び浴室空調装置３Ａが主制御部７Ａ及び副制御部８Ｂに制御される。
【０２６２】
加湿空調システム１Ｄでは、主操作部５Ａまたは副操作部６Ｂの操作で例えば加湿暖房運転モードが選択され、加湿暖房運転モードでは、加湿装置９で加湿空気ＷＡを吹き出しながら、浴室空調装置３Ａで循環風により温風ＨＡを吹き出して、浴室１０１の加湿暖房を行う。
【０２６３】
そして、加湿空調システム１Ｄは、湿度検知センサ３８ｂを、浴室空調装置３Ａ、加湿装置９、副操作部６Ｂの少なくとも何れかに備え、加湿暖房運転モードでは、湿度検知センサ３８ｂで検知された浴室１０１の湿度に応じて、加湿装置９で吹き出される加湿空気ＷＡ中の水分量の制御を行い、浴室１０１内の湿度が一定値に近づくようにする。
【０２６４】
なお、加湿空調システム１Ｄでも、湿度検知センサ３８ｂを複数個所に備え、各湿度検知センサ３８ｂで検知された湿度の平均を求める等により、浴室１０１の湿度を検知することで、より正確に浴室１０１内の湿度を検知可能となる。また、湿度検知センサ３８ｂは、浴室１０１の天井や壁面に設置しても良い。
【０２６５】
ここで、加湿装置９は、例えば、図１４で説明した構成の加湿装置９Ａ、または、図１５で説明した構成の加湿装置９Ｂである。また、湿度検知センサ３８ｂを加湿装置９に備える構成では、例えば、浴室１０１に面したフロントパネル９７内に湿度検知センサ３８ｂを備える。これに対して、湿度検知センサ３８ｂを浴室空調装置３Ａに備える構成では、例えば、浴室１０１に面したフロントパネル３７内、またはファン吸込口３４ａに湿度検知センサ３８ｂを備える。
【０２６６】
＜第４の実施の形態の加湿空調システムの動作例＞
次に、各図を参照して、第４の実施の形態の加湿空調システム１Ｄで実行される加湿暖房運転モードの動作の一例について説明する。
【０２６７】
入浴者等は、浴室１０１を加湿暖房するため、浴室１０１に設置された副操作部６Ｂの所定の操作ボタン６０、または、洗面脱衣所１０２に設置された主操作部５Ａの所定の操作ボタン５０を押して、加湿暖房運転モードを選択する。
【０２６８】
加湿暖房運転モードが選択されると、主制御部７Ａは、浴室空調装置３Ａのダンパモータ３５ｃを駆動してダンパ３５を図６（ａ）に示す循環位置に移動させ、ファンモータ３３ａを駆動してファン３３を回転させると共に、ヒータ３２に通電する。
【０２６９】
これにより、浴室空調装置３Ａでは、フロントパネル３７の吸込グリル３７ａから浴室１０１内の空気ＲＡが吸い込まれ、温風ＨＡが吹出グリル３７ｂから吹き出されて、浴室１０１内が暖房される。
【０２７０】
また、主制御部７Ａは、加湿暖房運転モードが選択されると、所定の第１の出力で加湿空気を吹き出させる指示を副制御部８Ｂに送信する。
【０２７１】
副制御部８Ｂは、第１の出力で加湿空気ＷＡを吹き出す指示を主制御部７Ａから受信すると、加湿装置９Ａを備えた構成では、ヒータ９３Ａの通電率を高くする制御、ヒータ９３Ａの通電時間を長くする制御、ヒータ９３Ａを複数備えた構成では通電本数を増やす制御等によってヒータ９３Ａを駆動すると共に、送風ファン部９１のファンモータ９５ａを駆動する。
【０２７２】
これにより、水槽９２Ａに貯水された水Ｗが加熱されて水蒸気ＷＶが発生し、水槽９２Ａの上部の加湿風路９４へと拡散する。そして、吸込グリル９７ａから吸い込んだ浴室１０１の空気ＲＡが加湿風路９４を通って加湿され、吹出グリル９７ｂから加湿空気ＷＡが吹き出される。
【０２７３】
このように、第１の出力で加湿装置９Ａから加湿空気ＷＡを吹き出しながら、浴室空調装置３Ａで温風ＨＡを吹き出すことで、浴室１０１が加湿暖房されて、短時間で所定の高湿のミストサウナ状態となる。
【０２７４】
なお、加湿空調システム１Ｄでも、加湿装置９Ａでは、水位センサ９２ｗの出力を監視し、水槽９２Ａ内の水が所定量となるように、給水バルブ９２ｓｂの開閉による給水と、排水バルブ９２ｅｂの開閉による排水が行われる。
【０２７５】
また、加湿装置９Ａを備えた加湿空調システム１Ｄでも、主制御部７Ａは、加湿暖房運転モードが選択されると、浴室空調装置３Ａで温風ＨＡを吹き出して、浴室１０１の暖房を開始した後、温度検知センサ３８ａで検知された浴室１０１の温度が所定の加湿空気吹き出し適合室温に上昇してから、加湿装置９Ａでの加湿空気ＷＡの吹き出しを開始する制御を行っても良い。
【０２７６】
一方、副制御部８Ｂは、第１の出力で加湿空気ＷＡを吹き出す指示を主制御部７Ａから受信すると、加湿装置９Ｂを備えた構成では、超音波振動子９３Ｂの通電電圧を上げる制御、超音波振動子９３Ｂの通電周波数を高くする制御、超音波振動子９３Ｂを複数備えた構成では通電本数を増やす制御等によって超音波振動子９３Ｂを駆動すると共に、送風ファン部９１のファンモータ９５ａを駆動する。
【０２７７】
これにより、水槽９２Ｂに貯水された水Ｗが振動して微細化された水滴Ｆが、水槽９２Ｂの上部の加湿風路９４へと拡散する。そして、吸込グリル９７ａから吸い込んだ浴室１０１の空気ＲＡが加湿風路９４を通って加湿され、吹出グリル９７ｂから霧状の加湿空気ＷＡが吹き出される。
【０２７８】
このように、第１の出力で加湿装置９Ｂから加湿空気ＷＡを吹き出しながら、浴室空調装置３Ａで温風ＨＡを吹き出すことで、浴室１０１が加湿暖房されて、短時間で所定の高湿のミストサウナ状態となる。
【０２７９】
なお、加湿空調システム１Ｄでは、加湿装置９Ｂでも、水位センサ９２ｗの出力を監視し、水槽９２Ｂ内の水が所定量となるように、給水バルブ９２ｓｂの開閉による給水と、排水バルブ９２ｅｂの開閉による排水が行われる。
【０２８０】
また、加湿装置９Ｂを備えた加湿空調システム１Ｄでも、主制御部７Ａは、加湿暖房運転モードが選択されると、浴室空調装置３Ａで温風ＨＡを吹き出して、浴室１０１の暖房を開始した後、温度検知センサ３８ａで検知された浴室１０１の温度が所定の加湿空気吹き出し適合室温に上昇してから、加湿装置９Ｂでの加湿空気ＷＡの吹き出しを開始する制御を行っても良い。
【０２８１】
上述したように、加湿暖房運転モードでは、加湿装置９で加湿空気ＷＡを吹き出すことで、浴室１０１内の湿度が上昇する。このため、湿度検知センサ３８ｂで検知された浴室１０１内の湿度が所定の上限湿度となると、主制御部７Ａは、第１の出力より低い第２の出力で加湿空気ＷＡを吹き出させる指示を副制御部８Ｂに送信する。
【０２８２】
副制御部８Ｂは、第２の出力で加湿空気ＷＡを吹き出す指示を主制御部７Ａから受信すると、加湿装置９Ａを備えた構成では、ヒータ９３Ａの通電率を低くする制御、ヒータ９３Ａの通電時間を短くする制御、ヒータ９３Ａを複数備えた構成では通電本数を減らす制御等によって、水蒸気ＷＶの発生量を減らす。
【０２８３】
これにより、加湿装置９Ａより吹き出される加湿空気ＷＡ中の水分量が減って加湿量が減らされ、浴室１０１内の湿度の上昇が抑えられる。
【０２８４】
加湿装置９Ａによる加湿量が減らされると、浴室１０１内の湿度が低下する。そして、湿度検知センサ３８ｂで検知された浴室１０１の湿度が所定の下限湿度となると、主制御部７Ａは、第１の出力で加湿空気ＷＡを吹き出させる指示を副制御部８Ｂに送信する。
【０２８５】
上述したように、第１の出力で加湿空気ＷＡが吹き出されることで、加湿装置９Ａによる加湿量が増やされ、浴室１０１内の湿度の低下が抑えられる。
【０２８６】
一方、加湿装置９Ｂを備えた構成では、湿度検知センサ３８ｂで検知された浴室１０１内の湿度が所定の上限湿度となって、第２の出力で加湿空気ＷＡを吹き出す指示を主制御部７Ａから受信すると、副制御部８Ｂは、超音波振動子９３Ｂの通電電圧を下げる制御、超音波振動子９３Ｂの通電周波数を低くする制御、超音波振動子９３Ｂを複数備えた構成では通電本数を減らす制御等によって、水滴Ｆの発生量を減らす。
【０２８７】
これにより、加湿装置９Ｂより吹き出される加湿空気ＷＡ中の水分量が減って加湿量が減らされ、浴室１０１内の湿度の上昇が抑えられる。
【０２８８】
加湿装置９Ｂによる加湿量が減らされると、浴室１０１内の湿度が低下する。そして、湿度検知センサ３８ｂで検知された浴室１０１の湿度が所定の下限湿度となると、主制御部７Ａは、第１の出力で加湿空気ＷＡを吹き出させる指示を副制御部８Ｂに送信する。
【０２８９】
上述したように、第１の出力で加湿空気ＷＡが吹き出されることで、加湿装置９Ｂによる加湿量が増やされ、浴室１０１内の湿度の低下が抑えられる。
【０２９０】
加湿空調システム１Ｄでは、このような制御を行うことで、浴室１０１内の湿度は所定の上限湿度と下限湿度との間に収まり、大きな変動が抑えられる。
【０２９１】
従って、加湿量が過剰になって無駄なエネルギーを消費したり、加湿量が不足して浴室１０１内が必要な湿度に達しないという問題を解決して、浴室１０１内の湿度を発汗効果が得られるような高湿の状態で維持することができる。
【産業上の利用可能性】
【０２９２】
本発明は、浴室やシャワー室等の加湿暖房を行う空調システムに適用される。
【図面の簡単な説明】
【０２９３】
【図１】第１の実施の形態の加湿空調システムの一例を示す全体構成図である。
【図２】第１の実施の形態の加湿空調システムを構成するミスト発生装置の第１の例を示す構成図である。
【図３】第１の例のミスト発生装置におけるミスト噴出量の切換動作説明図である。
【図４】第１の実施の形態の加湿空調システムを構成するミスト発生装置の第２の例を示す構成図である。
【図５】第２の例のミスト発生装置におけるミスト噴出量の切換動作説明図である。
【図６】第１の実施の形態の加湿空調システムを構成する浴室空調装置の一例を示す構成図である。
【図７】第１の実施の形態の加湿空調システムを構成する給湯装置の一例を示す構成図である。
【図８】第１の例のミスト発生装置を備えた第１の実施の形態の加湿空調システムの制御系の一例を示す機能ブロック図である。
【図９】第２の例のミスト発生装置を備えた第１の実施の形態の加湿空調システムの制御系の一例を示す機能ブロック図である。
【図１０】第１の実施の形態の加湿空調システムにおける浴室空調装置のヒータ制御と浴室内の温湿度の関係を示すグラフである。
【図１１】従来のヒータ制御と浴室内の温湿度の関係を示すグラフである。
【図１２】第２の実施の形態の加湿空調システムの一例を示す全体構成図である。
【図１３】第３の実施の形態の加湿空調システムの一例を示す全体構成図である。
【図１４】第３の実施の形態の加湿空調システムを構成する加湿装置の第１の例を示す構成図である。
【図１５】第３の実施の形態の加湿空調システムを構成する加湿装置の第２の例を示す構成図である。
【図１６】第１の例の加湿装置を備えた第３の実施の形態の加湿空調システムの制御系の一例を示す機能ブロック図である。
【図１７】第２の例の加湿装置を備えた第３の実施の形態の加湿空調システムの制御系の一例を示す機能ブロック図である。
【図１８】第４の実施の形態の加湿空調システムの一例を示す全体構成図である。
【符号の説明】
【０２９４】
１Ａ，１Ｂ，１Ｃ，１Ｄ・・・加湿空調システム、２（２Ａ，２Ｂ）・・・ミスト発生装置、３Ａ・・・浴室空調装置、４・・・給湯装置、５Ａ・・・主操作部、６Ａ，６Ｂ・・・副操作部、７Ａ・・・主制御部、８Ａ，８Ｂ・・・副制御部、９（９Ａ，９Ｂ）・・・加湿装置、３２・・・ヒータ、３８ａ・・・温度検知センサ、３８ｂ・・・湿度検知センサ、１０１・・・浴室、１０２・・・洗面脱衣所
【図１】
2008164243.tif 000003
【図２】
2008164243.tif 000004
【図３】
2008164243.tif 000005
【図４】
2008164243.tif 000006
【図５】
2008164243.tif 000007
【図６】
2008164243.tif 000008
【図７】
2008164243.tif 000009
【図８】
2008164243.tif 000010
【図９】
2008164243.tif 000011
【図１０】
2008164243.tif 000012
【図１１】
2008164243.tif 000013
【図１２】
2008164243.tif 000014
【図１３】
2008164243.tif 000015
【図１４】
2008164243.tif 000016
【図１５】
2008164243.tif 000017
【図１６】
2008164243.tif 000018
【図１７】
2008164243.tif 000019
【図１８】
2008164243.tif 000020